(57)【要約】【課題】小型急速液体凍結機に取り付け可能な物品昇降機を提供する。【解決手段】急速液体凍結機50の側面部51に固定手段により取り付けることができる。本体部11と、この本体部11の下端部分に位置する駆動部12と、この駆動部12によって本体部11の上下方向に昇降する昇降部13と、この昇降部13に連結され上下に延長する縦方向腕部14と、この縦方向腕部14に連続する中間腕部15と、この中間腕部15に連続する下向き腕部16と、この下向き腕部の下端部には被凍結物品を載置するための物品載置部17を設ける。駆動部12の駆動により前記昇降部13が上下に往復動することにより物品載置部17も上下に往復動を行い、物品載置部17に載置された被凍結物品を凍結用液体内に浸漬しかつ凍結用液体内から取り出すことができる。【選択図】図３
0003204544.tif 000002
【実用新案登録請求の範囲】
【請求項１】
急速液体凍結機の側面部に固定手段により取り付けることができる昇降機であって、
本体部と、この本体部の下端部分に位置する駆動部と、この駆動部の駆動力を伝達する伝達部によって前記本体部の上下方向に昇降する昇降部と、この昇降部に連結され上下に延長する縦方向腕部と、この縦方向腕部に連続する中間腕部と、この中間腕部に連続する下向き腕部と、この下向き腕部の下端部には被凍結物品を載置するための物品載置部を設け、
これにより、前記駆動部の駆動により前記伝達部を介して前記昇降部が上下に往復動することにより前記物品載置部も上下に往復動を行い、前記物品載置部に載置された被凍結物品を凍結用液体内に浸漬し及び凍結用液体内から取り出すことができることを特徴とする急速液体凍結機用の物品昇降機。
【請求項２】
前記駆動部が電動モーターからなり、前記伝達部が螺子棒からなり、前記昇降部は螺子棒に螺合し、前記電動モーターの回転駆動軸の回転が前記螺子棒に伝達され、この螺子棒の正逆回転により昇降部が上下動を行い、
前記螺子棒が前記電動モーターの回転駆動軸と直接的又は間接的に連結駆動されることを特徴とする請求項１に記載の急速液体凍結機用の物品昇降機。
【請求項３】
前記下向き腕部と前記物品載置部が又は物品載置部が、前記中間腕部と又は前記下向き腕部と着脱自在に連結され、前記物品載置部が複数の貫通孔を有する板状体のもの、又は、線状材から形成されたバスケット状体のものからなることを特徴とする請求項１又は２に記載の急速液体凍結機用の物品昇降機。
【請求項４】
前記物品昇降機の駆動部の作動時間及び／又は停止時間を制御するタイマー及び／又はセンサーを付加したことを特徴とする請求項１乃至３の何れか１項に記載の急速液体凍結機用の物品昇降機。
【考案の詳細な説明】
【技術分野】
【０００１】
本考案は、小型の急速液体凍結機にオプション的に取り付けて使用することができる物品昇降機に関するものであって、当該物品昇降機の物品載置部に冷凍されるべき飲食料品を載置して、当該物品載置部を凍結用液体に浸漬し且つ凍結用液体から取り出す動作を行う物品昇降機に関するものである。
尚、この物品昇降機は大型の急速液体凍結機にも適用可能なものである。
【背景技術】
【０００２】
上記急速液体凍結機においては、凍結用液体としてアルコール水溶液等が利用されており、気体と異なり熱効率が高く、急速な凍結を可能とするため、被凍結物品の品質維持に極めて貢献するものである。
このため、昨今、各種食品の冷凍に際し、急速液体凍結機が利用されている。
【０００３】
従来の小型急速液体凍結機においては、一般的には被凍結物品を金属製線状材から形成されたバスケット状の物品収納体内に入れ、手作業で前記小型急速液体凍結機の凍結用液体内にそのまま浸漬して、所定時間経過後に取り出して冷凍を行っていた。
【０００４】
したがって、このような小型急速液体凍結機に被凍結物品を前記凍結用液体に浸漬し且つ取り出すための自動昇降機等を付加的に取り付けできるものは存在していなかったのである。
【考案の概要】
【考案が解決しようとする課題】
【０００５】
本考案においては、従来から存在する小型の急速液体凍結機にオプション的に装着できる被凍結食料品のための昇降機を提案することをその課題としている。
しかも、現存している各種の凍結機にも適用でき、各種の被凍結物品を適切に容易に載置することができる昇降機を提案することをその課題としている。
【課題を解決するための手段】
【０００６】
上記課題を解決するために、本考案の第１のものは、急速液体凍結機の側面部に固定手段により取り付けることができる昇降機であって、本体部と、この本体部の下端部分に位置する駆動部と、この駆動部の駆動力を伝達する伝達部によって前記本体部の上下方向に昇降する昇降部と、この昇降部に連結され上下に延長する縦方向腕部と、この縦方向腕部に連続する中間腕部と、この中間腕部に連続する下向き腕部と、この下向き腕部の下端部には被凍結物品を載置するための物品載置部を設け、これにより、前記駆動部の駆動により前記伝達部を介して前記昇降部が上下に往復動することにより前記物品載置部も上下に往復動を行い、前記物品載置部に載置された被凍結物品を凍結用液体内に浸漬し及び凍結用液体内から取り出すことができることを特徴とする急速液体凍結機用の物品昇降機である。
【０００７】
本考案の第２のものは、上記第１の考案において、前記駆動部が電動モーターからなり、前記伝達部が螺子棒からなり、前記昇降部は螺子棒に螺合し、前記電動モーターの回転駆動軸の回転が前記螺子棒に伝達され、この螺子棒の正逆回転により昇降部が上下動を行い、前記螺子棒が前記電動モーターの回転駆動軸と直接的又は間接的に連結駆動されることを特徴とする急速液体凍結機用の物品昇降機である。
【０００８】
本考案の第３のものは、上記第１又は第２の考案において、前記下向き腕部と前記物品載置部が又は物品載置部が、前記中間腕部と又は前記下向き腕部と着脱自在に連結され、前記物品載置部が複数の貫通孔を有する板状体のもの、又は、線状材から形成されたバスケット状体のものからなることを特徴とする急速液体凍結機用の物品昇降機である。
【０００９】
本考案の第４のものは、上記それぞれの考案において、前記物品昇降機の駆動部の作動時間及び／又は停止時間を制御するタイマー及び／又はセンサーを付加したことを特徴とする急速液体凍結機用の物品昇降機である。
【考案の効果】
【００１０】
本考案の第１のものにおいては、通常の急速液体凍結機は箱体形態のため、その一側面部にオプション的に固定して用いることができる。
その構成は、本体部と、この本体部の下端部分に位置する駆動部と、この駆動部の駆動力を伝達する伝達部と、この伝達部によって前記本体部の上下方向に昇降する昇降部と、この昇降部に連結され上下に延長する縦方向腕部と、この縦方向腕部に連続する中間腕部と、この中間腕部に連続する下向き腕部と、この下向き腕部の下端部には被凍結物品を載置するための物品載置部を設けているために、前記駆動部の駆動により昇降部が本体部の上下方向に往復動することにより前記物品載置部も上下に往復動を行い、この物品載置部に載置された被凍結物品を凍結用液体内に浸漬し及び凍結用液体内から取り出すことができることとなるのである。
【００１１】
本考案の第２のものにおいては、上記発明において、駆動部、伝達部及び昇降部を具体化したものである。
つまり、前記駆動部が電動モーターからなり、前記伝達部が螺子棒からなり、前記昇降部が前記螺子棒に螺合され、前記昇降部が螺子棒の正逆回転により上下することとなり、この昇降部が前記縦方向腕部と連結固定され、前記螺子棒が前記電動モーターの回転駆動軸と直接的又は間接的に連結駆動されることができるものであることを限定している。
【００１２】
電動モーターの回転駆動軸と間接的に連結駆動されるというのは、プーリー及びプーリーベルトや歯車等の駆動力を伝達する動力伝達部材を介して、という意味である。
これにより、モーターの一方向回転により上記螺子棒が回転して昇降部が上昇し、モーターの逆回転により上記螺子棒が逆回転して昇降部が下降することにより自動的に物品載置部も上下動を行うことができることとなるのである。
【００１３】
本考案の第３のものにおいては、前記下向き腕部と物品載置部が、又は、物品載置部が、前記中間腕部と又は下向き腕部と着脱自在に連結できること、また、物品載置部として複数の貫通孔を有する板状体のもの、又は、線状材から形成されたバスケット状体のものを使用できることを特定したものである。
【００１４】
これにより、被凍結物品の形態に応じて、物品載置部を選択して交換することが可能となるのであり、また、着脱部位も、物品載置部のみでなく、下向き腕部と物品載置部とを一体的に形成し、これらの両方を共に交換できるようにすることも可能となるのである。
これにより被凍結物品の種類や形態に応じて各種のタイプの物品載置部を選択して使用することができることとなるのである。
【００１５】
本考案の第４のものにおいては、駆動部の作動時間及び／又は停止時間を制御できるタイマー及び／又はセンサーを付加したものであり、これによって、昇降機の昇降部の下降時間、停止時間、及び上昇時間をそれぞれ制御して、被凍結物品の種類に応じた凍結時間を設定して自動的に凍結処理を行うことができることとなるのである。
ここでセンサーとしては、温度センサーを例示することができ、この温度センサーにより被凍結物品の温度を測定し、その所定温度に達した時点で昇降部を上昇させる設定にすることもできる。
【図面の簡単な説明】
【００１６】
【図１】本考案に係る物品昇降機の一実施形態を小型急速液体凍結機に取り付けた状態を示す説明図であって、物品昇降機の物品載置部を上方位置に上昇させた状態を図示している。
【図２】上記実施形態に係る物品昇降機の本体部及び駆動部の部分を示す説明図であって、液体凍結機の側面に接合される側を示している。
【図３】上記実施形態に係る物品昇降機を液体凍結機に取り付けた状態を示し、当該物品昇降機を取り付けた側面側から見た状態を示している。
【図４】上記実施形態に係る本体部の内部構造を示す一部切欠説明図である。
【考案を実施するための形態】
【００１７】
以下、添付の図面と共に本考案の一実施形態について説明する。
図１は、本考案に係る物品昇降機の一実施形態を小型急速液体凍結機に取り付けた状態を示す説明図であって、物品昇降機の物品載置部を上方位置に上昇させた状態を図示している。
【００１８】
本考案に係る物品昇降機１０は、その本体部１１を箱型の液体凍結機５０の一側面に固定手段によって固定できる。
この図１では、上記物品昇降機１０を図中向かって左側の側面部５１に固定しているために、その全体を見て取ることができない（後の図３で説明する）が、適宜ブラケット及び螺子等の固定手段によって上記液体凍結機５０の側面５１に固定することができる。
【００１９】
例えば、固定手段としては、本体部１１をボルト・ナット等の螺子により固定することもできるし、平面視コ字形状で、両端部が直角外側に折曲する（ハット形状の）ブラケットを１個又は２個用いて螺子により固定することもできる。
この固定手段は現在市場に有る各種のものを利用することができる。
【００２０】
この本体部１１の下端部分には、図１には表れていないが駆動部としての電動モーターが設けられている。
この電動モーターは、本体部１１の下端に直列に設けることもできるし、本体部１１の下端部の側方に並列に設けることもできる。
【００２１】
本体部１１の液体凍結機５０の側には、図には表れていないが昇降部が配置され、この昇降部は、上記電動モーターの駆動軸の正逆回転により、上下に往復動できる構成である。
【００２２】
この昇降部に縦方向腕部１４の下端部が連結し固定される。
そして、この縦方向腕部１４から横方向に直角に折曲する中間腕部１５が連続し、この中間腕部１５の先端部が更に下向き直角に折曲して下向き腕部１６が連続する。
この下向き腕部１６の下端部分に物品載置部１７が設けられているのである。
【００２３】
上記縦方向腕部１４の下端部は、上記昇降部に連結固定されているために、この昇降部が電動モーターの駆動軸の正逆回転により上下に往復動できるため、上記物品載置部１７も同様に上下に往復動をすることができ、物品載置部１７は、液体凍結機５０の中央の凍結用液体が貯留する貯留部５７内に浸漬し且つ取り出すことができることとなる。
【００２４】
上記物品載置部１７には、複数の孔部１８、１８、…が設けられており、この孔部１８に物品を保持させたり、この物品載置部１７に各種の被凍結物品を載置することができるのである。
図１では、液体を凍結させるためにコップ形状のものを例示のために１個のみ前記孔部１８に嵌合させて保持している状態を示している。
【００２５】
液体凍結機５０には、凍結用液体がその中央の貯留部５７内に収容され、その貯留部５７内で適宜撹拌される状態にある。
この液体凍結機５０では、凍結用液体としてアルコール水溶液を使用し、摂氏約−３５度乃至−５０度程度まで冷却することができ、各種の食料品を凍結させることができるものである。
【００２６】
図２は、上記実施形態に係る物品昇降機の本体部及び駆動部の部分を示す説明図であって、液体凍結機の側面に接合される側を示している。
この図２においては、縦方向腕部、中間腕部、下向き腕部及び物品載置部を取り除いた状態を示しており、図中左下側が下、図中右上側が上である。
【００２７】
駆動部としての電動モーター１２は、本体部１１の下端部の側方に配置している。
本体部１１の内部には、図には表れていないが、伝達部としての螺子棒が上下方向に配設され、その上下端部で支持されて、螺子棒の下端部と電動モーター１２の駆動軸とがプーリーベルト１２ｐにより連結され、回転駆動力が伝達される。
【００２８】
従って、電動モーター１２の回転駆動軸が正逆回転を行うと、本体部１１内部の螺子棒も正逆回転を行うこととなる。
上記電動モーター１２は、本体部１１と並列に設けているが、この電動モーター１２は、本体部１１の下端部の下方に直列に配置することもできる。
【００２９】
上記伝達部としての螺子棒には、昇降部１３が螺合される。
図２には表れていないが、昇降部１３の下端部分には上下方向に螺子穴が設けられおり、この螺子穴と上記螺子棒が相互に螺合しているのである。
これにより、螺子棒が正逆回転を行うと、昇降部１３が上下に往復動を行うこととなる。
【００３０】
図３は、上記実施形態に係る物品昇降機を液体凍結機に取り付けた状態を示し、当該物品昇降機を取り付けた側面側から見た状態を示している。
この図３では、上記図２の状態と反対側が示されることとなる。
また、この図３ではこの物品昇降機を明確に示すために、固定手段としてのブラケットの図示を省略している。
【００３１】
このように、本考案に係る物品昇降機１０は、液体凍結機５０の一側面部５１に固定され、電源プラグ９を電源コンセントに接続し、適宜電源ボタンを押して電力を投入し、物品載置部１７が凍結用液体内に浸漬される時間等を適宜タイマーにより設定し、スタートボタンを押して食品の凍結を行うことができることとなる。
【００３２】
図３では、物品昇降機１０の初期状態を示しており、この初期状態というのは、物品載置部１７が最上端位置に位置している状態である。
この状態で、スタートボタンを押すと、電動モーター１２の回転駆動軸は正回転を開始し、これによりプーリーベルトを介して本体部１１内の螺子棒が正回転を行う。
螺子棒が正回転を行うと、この螺子棒に螺合している昇降部１３が下方に移動して、物品載置部１７が凍結用液体内に浸漬される。
【００３３】
その後、タイマーで設定した所定時間が経過した後に、再度電動モーター１２への通電が行われ、電動モーター１２の回転駆動軸は逆回転を開始する。
この回転駆動軸の逆回転によりプーリーベルトを介して螺子棒も逆回転を行い、今度は昇降部１３が上方に上昇し、物品載置部１７は、凍結用液体内から外部に上昇して初期位置に復帰し、１サイクルの冷凍作業が完了となる。
【００３４】
上の説明で、電動モーター１２の回転駆動軸の正逆回転の向きというのは、相対的なものであって、回転駆動軸及び螺子棒の正逆回転により昇降部１３が上下に往復移動できればよいものである。
【００３５】
図４は、上記実施形態に係る本体部の内部構造を示す一部切欠説明図である。
この図では、下側が右上に配置されて記載されている。
この図から良く解る通り、本体部１１の内部には動力の伝達部としての螺子棒２２が配設されており、その下端部でプーリーベルト１２ｐを介して、この図には表れていない電動モーターの回転駆動軸に連結されている。
【００３６】
従って、電動モーターの回転駆動軸の回転駆動力がプーリーベルト１２ｐを介して螺子棒２２に伝達され、螺子棒２２は、正逆回転することができる。
この螺子棒２２の正逆回転により、この螺子棒２２に螺合している昇降部１３も上下に往復動することができることとなるのである。
【００３７】
このように、昇降部１３が上下に往復動できることにより、この昇降部１３に固定されている縦方向腕部、中間腕部、下向き腕部及び物品載置部も上下に往復動することができることとなるのである。
【００３８】
以上、本考案の一実施形態について説明したが、本考案においては、以下の通り各種その実施形態を変更することができる。
まず、本考案に係る物品昇降機は、少なくとも一つの平面的な側面部を有する液体凍結機に取り付けて固定することができる。
当該液体凍結機は、小型のもの及び大型のものであってもよく、本発明に係る物品昇降機は何れのタイプのものにも適用することができる。
【００３９】
その固定手段も適宜自由に現在市場にある各種のものを利用することができる。
駆動部としての電動モーターも本体部の下端部側方でも、下端部の下方に直列に配置するものであってもよい。
上記実施形態では、電動モーターとしては、ステッピングモーターを採用しており、正確な高さの位置決めを可能としている。
【００４０】
本考案における昇降部は、螺子棒に昇降部を螺合させることによって実現させたが、油圧モーター等の液圧モーターを採用することも可能である。
要は、駆動部の駆動力により昇降部の昇降部が上下に往復動することができるものであればよいのである。
【００４１】
上記昇降部には縦方向腕部、中間腕部及び下向き腕部が連結されるのであるが、これらの形状や大きさ等は適宜設計変更することができ、上記中間腕部は、必ずしも水平に設ける必要は無く、湾曲したものであってもよい。
【００４２】
下向き腕部に連結する物品載置部の形態も種々設計変更することができる。
この物品載置部を金属製の線条材から形成して、バスケット状体のものに形成することもでき、或いは、上下で食品等を挟み付け、挟持できるような構成のものとすることも可能である。
【００４３】
冷凍される食品は、通常は真空パックされているが、その比重により凍結用液体内で上方に浮いてしまう物品もあるため、その浮きを防止して、凍結用液体内に留まるようにするためである。
このように、物品載置部としては各種の形態のものを採用することができるが、この物品載置部を下向き腕部に着脱自在に形成することにより、異なる物品載置部に交換することも可能となる。
【００４４】
この交換可能とする際には、上記のように下向き腕部の下端部で着脱可能又は交換可能とするばかりでなく、下向き腕部と物品載置部とを一体的なものとし、下向き腕部を中間腕部と着脱自在又は交換可能に形成することもでき、適宜必要に応じて設計変更することができるものである。
【００４５】
最後に、本考案においては、タイマーにより、物品載置部が凍結用液体内に滞留する時間を適宜設定できるように構成しているが、物品載置部の交換を考慮して、つまり、物品載置部の高さ位置の相違も考慮して、昇降部の昇降距離も厳密に制御できるような構成を採用することも可能となる。
【００４６】
更に、上記滞留時間の設定のために被凍結物品の温度を温度センサーにより測定することによって行うこともできる。
即ち、被凍結物品の温度を例えば摂氏マイナス３５度にする場合、当該物品の温度がその温度に到達した時点で、上記昇降部の上昇をさせるべく電源スイッチが投入される設定とすることも容易に可能となる。
【００４７】
以上、本考案に係る物品昇降機は、急速液体凍結装置の一側面部に適宜固定することができ、所定の操作により冷凍されるべき食料品を適切に急速冷凍することができる被凍結物品の液体凍結機用の物品昇降機を提供することができたものである。
【符号の説明】
【００４８】
１０  物品昇降機
１１  本体部
１２  電動モーター
１２ｐ  プーリーベルトベルト
１３  昇降部
１４  縦方向腕部
１５  中間腕部
１６  下向き腕部
１７  物品載置部
１８  孔部
２２  螺子棒
５０  液体凍結機
５７  貯留部
【図１】
0003204544.tif 000003
【図２】
0003204544.tif 000004
【図３】
0003204544.tif 000005
【図４】
0003204544.tif 000006